(57)【要約】  第１コア及び第２コアが間隔を隔てて配置されている。磁性材料からなる２つの端部磁性部材が、第１コア及び第２コアの一方の端部同士を接続し、他方の端部同士を接続する。２本の第１巻線が第１コアに巻かれてコモンモードチョークコイルを構成する。２本の第２巻線が、第１コア及び第２コアに跨って、相互に逆向きに巻かれており、２本の第２巻線からなる２つのコイルは開磁路構造を有する。
2020116055.tif 000002
【特許請求の範囲】
【請求項１】
間隔を隔てて配置された第１コア及び第２コアと、
前記第１コア及び前記第２コアの一方の端部同士を接続し、他方の端部同士を接続する磁性材料からなる２つの端部磁性部材と、
前記第１コアに巻かれてコモンモードチョークコイルを構成する２本の第１巻線と、
前記第１コア及び前記第２コアに跨って、相互に逆向きに巻かれた２本の第２巻線と
を有し、前記２本の第２巻線からなる２つのコイルは開磁路構造を有するノイズフィルタ。
【請求項２】
前記２本の第１巻線は、前記第２コアには巻かれていない請求項１に記載のノイズフィルタ。
【請求項３】
前記２本の第１巻線は、前記第２コアにも巻かれており、前記２本の第１巻線のうち前記第１コアに巻かれた部分と、前記第２コアに巻かれた部分とが、前記第１コア、前記第２コア、及び前記端部磁性部材からなる閉磁路に同一方向の磁束を発生させる向きに巻かれている請求項１に記載のノイズフィルタ。
【請求項４】
基板と、
前記基板に実装された集積回路素子と、
前記基板に実装され、外部機器に接続されるコネクタと、
前記基板に形成され、前記集積回路素子と前記コネクタとを接続する２本の信号線と、
前記基板に実装されたノイズフィルタと
を有し、
前記ノイズフィルタは、
間隔を隔てて配置された第１コア及び第２コアと、
前記第１コア及び前記第２コアの一方の端部同士を接続し、他方の端部同士を接続する磁性材料からなる２つの端部磁性部材と、
前記第１コアに巻かれてコモンモードチョークコイルを構成する２本の第１巻線と、
前記第１コア及び前記第２コアに跨って、相互に逆向きに巻かれた２本の第２巻線と
を有し、前記２本の第２巻線からなる２つのコイルは開磁路構造を有し、
前記第１巻線で構成されるコモンモードチョークコイルが前記２本の信号線に直列に挿入され、前記２本の第２巻線の一方の端部が、それぞれ前記２本の信号線に接続されているネットワーク接続装置。
【請求項５】
前記基板に電源ラインが設けられており、
前記２本の巻線の他方の端部がそれぞれ前記電源ラインに接続されている請求項４に記載のネットワーク接続装置。
【請求項６】
前記２本の巻線の他方の端部が、それぞれコンデンサを介して接地されている請求項４に記載のネットワーク接続装置。
【請求項７】
前記コネクタはケーブルを介して車載機器と接続される請求項４乃至６のいずれか１項に記載のネットワーク接続装置。
【発明の詳細な説明】
【技術分野】
【０００１】
本発明は、ノイズフィルタ及びネットワーク接続装置に関する。
【背景技術】
【０００２】
差動信号ラインに直流電流を重畳させて、差動信号の送受信と電源の供給とを行う回路が公知である。差動信号の伝送を行うケーブルへのコモンモードノイズの漏洩を防止するために差動信号ラインにコモンモードチョークコイルが挿入される。差動信号ラインから電源への高周波信号の伝導を抑制するために、差動信号ラインと電源とを接続する電源線に、ディファレンシャルモード信号に対して高インピーダンスになるインダクタ（ディファレンシャルモードインダクタ）が挿入される。【０００３】
コモンモードノイズを抑制する効果を高めるために、差動信号ラインにコモンモードチョークコイルを直列に挿入するとともに、差動信号ラインの各々をインダクタ及びコンデンサを介して接地する回路を設ける場合がある。【０００４】
部品点数の増加や実装面積の増大を抑制するためにコモンモードチョークコイルとディファレンシャルモードインダクタとを一体化することが望まれる。【０００５】
下記の特許文献１に、コモンモードチョークコイルとノーマルモード（ディファレンシャルモード）チョークコイルとを直列に接続した回路を構成するコイル部品が開示されている。このコイル部品は、閉磁路を形成する第１の磁心と、その内側に収まるような形状の閉磁路を形成する第２の磁心とを含む。第１の巻線及び第２の巻線の各々が、一部分で第１の磁芯と第２の磁心の両方に一緒に巻き付けられ、他の部分では第１の磁心のみに巻き付けられている。第１の磁芯に巻かれる部分は、第１の巻線と第２の巻線とで巻き方向が逆であり、第２の磁芯に巻かれる部分は、第１の巻線と第２の巻線とで巻き方向が同一である。
【先行技術文献】
【特許文献】
【０００６】
【特許文献１】特開平０９−１４８１４４号公報
【発明の概要】
【発明が解決しようとする課題】
【０００７】
特許文献１に開示されたコイル部品では、２本の巻線によりコモンモードチョークコイルとディファレンシャルモードチョークコイルとの両方が構成されている。すなわち、このコイル部品は、コモンモードチョークコイルとディファレンシャルモードチョークコイルとが直列に接続された四端子回路である。このため、このコイル部品は、差動信号ラインにコモンモードチョークコイルを直接に挿入するとともに、差動信号ラインをディファレンシャルモードチョークコイル（ディファレンシャルモードインダクタ）を介してインダクタ電源やグランドに接続する用途に使用することはできない。【０００８】
本発明の目的は、差動信号ラインに挿入されるコモンモードチョークコイル、及び差動信号ラインを電源やグランドに接続するディファレンシャルモードインダクタを一体化したノイズフィルタを提供することである。本発明の他の目的は、このノイズフィルタを搭載したネットワーク接続装置を提供することである。
【課題を解決するための手段】
【０００９】
本発明の一観点によると、
間隔を隔てて隣り合うように配置された第１コア及び第２コアと、
前記第１コア及び前記第２コアの一方の端部同士を接続し、他方の端部同士を接続する磁性材料からなる２つの端部磁性部材と、
前記第１コアに巻かれてコモンモードチョークコイルを構成する２本の第１巻線と、
前記第１コア及び前記第２コアに跨って、相互に逆向きに巻かれた２本の第２巻線と
を有し、前記２本の第２巻線からなる２つのコイルは開磁路構造を有するノイズフィルタが提供される。【００１０】
本発明の他の観点によると、
基板と、
前記基板に実装された集積回路素子と、
前記基板に実装され、外部機器に接続されるコネクタと、
前記基板に形成され、前記集積回路素子と前記コネクタとを接続する２本の信号線と、
前記基板に実装されたノイズフィルタと
を有し、
前記ノイズフィルタは、
間隔を隔てて隣り合うように配置された第１コア及び第２コアと、
前記第１コア及び前記第２コアの一方の端部同士を接続し、他方の端部同士を接続する磁性材料からなる２つの端部磁性部材と、
前記第１コアに巻かれてコモンモードチョークコイルを構成する２本の第１巻線と、
前記第１コア及び前記第２コアに跨って、相互に逆向きに巻かれた２本の第２巻線と
を有し、前記２本の第２巻線からなる２つのコイルは開磁路構造を有し、
前記第１巻線で構成されるコモンモードチョークコイルが前記２本の信号線に直列に挿入され、前記２本の第２巻線の一方の端部が、それぞれ前記２本の信号線に接続されているネットワーク接続装置が提供される。
【発明の効果】
【００１１】
２本の第１巻線からなるコモンモードチョークコイル及び２本の第２巻線からなる他の２つのコイルを一体化したノイズフィルタが得られる。コモンモードチョークコイルを信号線に直列に挿入し、２本の第２巻線からなる２つのコイルを介して信号線を電源またはグランドに接続することが可能である。
【図面の簡単な説明】
【００１２】
【図１】図１Ａ、図１Ｂ、及び図１Ｃは、それぞれ第１実施例によるノイズフィルタの正面図、底面図、及び側面図である。
【図２】図２は、第１実施例によるノイズフィルタを搭載したネットワーク接続装置の概略等価回路図である。
【図３】図３は、第１実施例によるノイズフィルタの側面図である。
【図４】図４Ａは、ネットワークアナライザを用いてＳパラメータを測定する評価実験の接続構成を示す図であり、図４Ｂは、比較例によるノイズフィルタの正面図である。
【図５】図５は、透過係数Ｓｃｃ２１の測定結果を示すグラフである。
【図６】図６は、第２実施例によるネットワーク接続装置の概略等価回路図である。
【図７】図７は、第３実施例によるノイズフィルタの正面図である。
【図８】図８は、第４実施例によるネットワーク接続装置を搭載した車両の概略図である。
【発明を実施するための形態】
【００１３】
［第１実施例］
図１から図５までの図面を参照して第１実施例によるノイズフィルタ及びネットワーク接続装置について説明する。
【００１４】
図１Ａ、図１Ｂ、及び図１Ｃは、それぞれ第１実施例によるノイズフィルタの正面図、底面図、及び側面図である。第１実施例によるノイズフィルタ１０は、一般的にプリント基板等の表面に実装される態様で使用される。ノイズフィルタ１０の、プリント基板を向く面を「底面」と定義し、底面とは反対方向を向く面を「上面」と定義し、プリント基板の表面に対してほぼ平行な方向を向く面を「側面」と定義する。ノイズフィルタ１０は、支持体２０、２本の第１巻線１６、及び２本の第２巻線１７を含む。
【００１５】
支持体２０は、第１コア２１、第１端部磁性部材２２、第２端部磁性部材２３、第２コア２５、第１電極対１１、第２電極対１２、及び第３電極対１３を含む。第１コア２１、第１端部磁性部材２２、第２端部磁性部材２３、及び第２コア２５は、例えばＮｉ−Ｚｎ系フェライト等の磁性材料で形成される。第１コア２１と第２コア２５とは間隔を隔てて並ぶように配置されており、第１端部磁性部材２２が第１コア２１及び第２コア２５の一方の端部同士を接続し、第２端部磁性部材２３が第１コア２１及び第２コア２５の他方の端部同士を接続している。第１コア２１は、例えば四角柱状または円柱状の外形を有する。第２端部磁性部材２３は、第１コア２１の端部に連続する端板２３Ａと、平面視においてこの端板の両端からそれぞれ第１端部磁性部材２２に向かって延びる側板２３Ｂとを含む。
【００１６】
第１端部磁性部材２２の底面に、第１電極対１１が設けられている。第１電極対１１の２つの電極は、平面視において第１コア２１の両側に配置されている。第２端部磁性部材２３の底面に、第２電極対１２及び第３電極対１３が設けられている。第３電極対１３の２つの電極は、それぞれ端板２３Ａの底面に、平面視において第１コア２１の両側に配置されている。第２電極対１２の２つの電極は、それぞれ２枚の側板２３Ｂの底面の先端に配置されている。
【００１７】
第１電極対１１、第２電極対１２、及び第３電極対１３は第１コア２１の軸方向に関して異なる位置に配置されており、第１コア２１の一端から他端に向かって、第１電極対１１、第２電極対１２、及び第３電極対１３がこの順番に並んでいる。また、第１電極対１１、第２電極対１２、及び第３電極対１３の合計６個の電極は、表面実装するために１つの仮想平面上に配置されている。
【００１８】
第２コア２５は、第１端部磁性部材２２の上面から第２端部磁性部材２３の上面まで架け渡された天板で構成される。第１コア２１、第１端部磁性部材２２、第２コア２５、及び第２端部磁性部材２３により、閉磁路が形成される。
【００１９】
第１コア２１に、２本の第１巻線１６が、巻き方向が同一になるように巻き付けられている。２本の第１巻線１６は、コモンモードノイズに対して高インピーダンスとなるコモンモードチョークコイルとして機能する。このコモンモードチョークコイルは閉磁路構造を有する。２本の第２巻線１７が、第１コア２１と第２コア２５とに跨って、巻き方向が相互に逆向きになるように巻き付けられている。２本の第２巻線１７は、コモンモードノイズに対して低インピーダンスになり、ディファレンシャルモード信号に対して高インピーダンスになる。このようなインダクタを、本明細書において「ディファレンシャルモードインダクタ」ということとする。このディファレンシャルモードインダクタは開磁路構造を有する。なお、図１Ａから図１Ｃまでの図面において、２本の第１巻線１６及び２本の第２巻線１７は、巻き方向が容易にわかるように実際の巻き数より少なく表されている。
【００２０】
２本の第１巻線１６の各々の一端は第１電極対１１の各電極に接続され、他端は第２電極対１２の各電極に接続されている。２本の第２巻線１７の各々の一端は第１電極対１１の各電極に接続され、他端は第３電極対１３の各電極に接続されている。２本の第１巻線１６の各々は、平面視において第１コア２１に対して同一の側の電極に接続されている。同様に、２本の第２巻線１７の各々は、平面視において第１コア２１に対して同一の側の電極に接続されている。
【００２１】
図２は、第１実施例によるノイズフィルタ１０を搭載したネットワーク接続装置の概略等価回路図である。基板３０に、ノイズフィルタ１０、集積回路素子（ＩＣ）３１、コネクタ３２、及び２つのコンデンサ３５が実装されている。さらに、基板３０に、差動信号を伝送する２本の信号線３７、及びグランド導体３８が設けられている。コネクタ３２に、外部機器との信号の送受信を行うためのケーブル４０が接続される。
【００２２】
２本の信号線３７は、ＩＣ３１とコネクタ３２とを接続する。ノイズフィルタ１０の第１電極対１１がＩＣ３１に接続され、第２電極対１２がコネクタ３２に接続されるように、２本の信号線３７にノイズフィルタ１０が挿入されている。ノイズフィルタ１０の第３電極対１３が、それぞれコンデンサ３５を介してグランド導体３８に接続されている。
【００２３】
ノイズフィルタ１０の２本の第１巻線１６が、コモンモードチョークコイル１８を構成しており、２本の第２巻線１７がディファレンシャルモードインダクタ１９を構成している。コモンモードチョークコイル１８は、２本の信号線３７に直列に挿入される。２本の信号線３７は、ＩＣ３１とコモンモードチョークコイル１８との間において、ディファレンシャルモードインダクタ１９及びコンデンサ３５を介して接地される。
【００２４】
次に、図３を参照して、第１実施例の優れた効果について説明する。
第１実施例では、コモンモードチョークコイル１８が、信号線３７からケーブル４０に漏洩するコモンモードノイズを抑制する。さらに、信号線３７に発生したコモンモードノイズが、ディファレンシャルモードインダクタ１９を介してグランド導体３８に流入する。このため、コモンモードノイズを抑制する効果を高めることができる。コモンモードチョークコイル１８とディファレンシャルモードインダクタ１９とが共通の支持体２０に設けられているため、部品点数の削減を図ることが可能になる。
【００２５】
コンデンサ３５は、グランド導体３８を流れる直流電流が信号線３７へ流れ込むのを防止する。
【００２６】
図３は、第１実施例によるノイズフィルタ１０の正面図であり、この正面図に、第１巻線１６により発生する磁束５１、及び第２巻線１７により発生する磁束５２が模式的に示されている。
【００２７】
第１巻線１６を流れる電流により発生する磁束５１の大部分は、第１コア２１、第１端部磁性部材２２、第２コア２５、及び第２端部磁性部材２３からなる閉磁路内に閉じ込められる。第１コア２１内の磁束５１の向きと、第２コア２５内に磁束５１の向きとは相互に逆である。例えば、第１コア２１内の磁束５１が第２端部磁性部材２３から第１端部磁性部材２２を向くとき、第２コア２５内に磁束５１は、その反対に、第１端部磁性部材２２から第２端部磁性部材２３を向く。このため、第１コア２１と第２コア２５とに跨って巻きつけられた第２巻線１７は、磁束５１と鎖交しない。その結果、第１巻線１６を流れる電流による第２巻線１７への影響が軽減される。
【００２８】
第２巻線１７を流れる電流により発生する磁束５２は、第１コア２１内と第２コア２５内とで同一の向きになる。このため、２本の第２巻線１７からなるコイルは開示路構造を有することとなる。すなわち、磁束５２は、磁性材料からなる支持体２０から漏れた漏れ磁束を含む。第２巻線１７を第１巻線１６と同様に第１コア２１のみに巻き付けた構成では、第２巻線１７を流れる電流によって発生する磁束のほとんどの成分が第１巻線１６と鎖交する。これに対して第１実施例では、第２巻線１７を流れる電流によって発生する磁束５２のうち、第１コア２１内の磁束５２のみが第１巻線１６と鎖交し、第２コア２５内の磁束５２は第１巻線１６と鎖交しない。すなわち、第２巻線１７を流れる電流によって発生する磁束５２の一部の成分のみが第１巻線１６と鎖交する。このため、第２巻線１７を流れる電流による第１巻線１６への影響が軽減される。
【００２９】
第１実施例の優れた効果を確認するために、第１実施例によるノイズフィルタ１０と、比較例によるノイズフィルタについて評価実験を行った。次に、図４Ａから図５までの図面を参照して、この評価実験について説明する。
【００３０】
図４Ａは、ネットワークアナライザ６０を用いてノイズフィルタのＳパラメータを測定するための接続構成を示す図である。ノイズフィルタ１０の第１電極対１１の２つの電極を、それぞれネットワークアナライザ６０のポートＰ１、Ｐ３に接続し、第２電極対１２の２つの電極を、それぞれネットワークアナライザ６０のポートＰ２、Ｐ４に接続した。ノイズフィルタ１０の第３電極対１３の２つの電極を接地した。この接続構成で、第１電極対１１から第２電極対１２へのコモンモード成分の透過係数Ｓｃｃ２１を測定した。
【００３１】
この接続においては、コモンモードチョークコイル１８によってコモンモード成分の第２電極対１２への漏洩が抑制され、ディファレンシャルモードインダクタ１９によってコモンモード成分がグランドに流れる。このため、透過係数Ｓｃｃ２１が小さいほど、コモンモードチョークコイル１８及びディファレンシャルモードインダクタ１９が有効に機能しているといえる。
【００３２】
図４Ｂは、比較例によるノイズフィルタの正面図である。比較例においては、第１巻線１６及び第２巻線１７が、共に第１コア２１に巻きつけられている。その他の構成は、第１実施例によるノイズフィルタ１０の構成と同一である。
【００３３】
図５は、透過係数Ｓｃｃ２１の測定結果を示すグラフである。横軸は周波数を単位「ＭＨｚ」で表し、縦軸は透過係数Ｓｃｃ２１を単位「ｄＢ」で表す。図５のグラフ中の実線及び破線は、それぞれ第１実施例によるノイズフィルタ１０及び比較例によるノイズフィルタ（図４Ｂ）の測定結果を示す。第１実施例によるノイズフィルタ１０の透過係数Ｓｃｃ２１が、比較例によるノイズフィルタの透過係数Ｓｃｃ２１より小さいことがわかる。すなわち、第１実施例によるノイズフィルタ１０において、比較例によるノイズフィルタよりも、コモンモードチョークコイル１８及びディファレンシャルモードインダクタ１９が有効に機能していることがわかる。これは、第１実施例よるノイズフィルタ１０で、第２巻線１７を第１コア２１と第２コア２５とに跨って巻き付けた構成を採用したことの効果といえる。
【００３４】
この評価実験から、第１実施例において、コモンモードチョークコイル１８（図２）とディファレンシャルモードインダクタ１９（図２）との磁気結合を抑制することにより、ノイズ抑制効果を高めることができることが確認された。
【００３５】
さらに、第１実施例では、支持体２０（図１Ａ）の天板を第２コア２５として利用しているため、第２コア２５を設けても部品寸法が大きくならないという優れた効果も得られる。
【００３６】
次に、第１実施例の変形例について説明する。
第１実施例では、図１Ｂに示したように、コモンモードチョークコイル１８を構成する第１巻線１６を第１電極対１１と第２電極対１２との間に接続し、ディファレンシャルモードインダクタ１９を構成する第２巻線１７を第１電極対１１と第３電極対１３との間に接続している。その他の構成として、第１巻線１６を第１電極対１１と第３電極対１３との間に接続し、第２巻線１７を第１電極対１１と第２電極対１２との間に接続してもよい。
【００３７】
［第２実施例］
次に、図６を参照して第２実施例によるネットワーク接続装置について説明する。以下、第１実施例によるノイズフィルタ１０を用いたネットワーク接続装置（図２）と共通の構成については説明を省略する。
【００３８】
図６は、第２実施例によるネットワーク接続装置の概略等価回路図である。第１実施例によるネットワーク接続装置（図２）では、ノイズフィルタ１０の第３電極対１３の２つの電極がそれぞれコンデンサ３５を介して接地されている。これに対し、第２実施例では、ノイズフィルタ１０の第３電極対１３の２つの電極が、それぞれ基板３０に設けられた２本の電源ライン３３に接続されている。電源ライン３３は、電源端子３９を介して外部の直流電源４１に接続される。
【００３９】
ノイズフィルタ１０とＩＣ３１との間の２本の信号線３７に、それぞれコンデンサ３４が直列に挿入されている。
【００４０】
第２実施例では、直流電源４１から基板３０に供給された直流電力が、電源ライン３３、信号線３７、コネクタ３２、及びケーブル４０を通して外部機器に供給される。電源ライン３３を外部の直流電源４１に接続せず、ケーブル４０が接続されている外部機器からケーブル４０、コネクタ３２、信号線３７を介して電源ライン３３に直流電力を供給する構成を採用することも可能である。
【００４１】
次に、第２実施例の優れた効果について説明する。
第２実施例においても、コモンモードチョークコイル１８が、信号線３７からケーブル４０へのコモンモードノイズの漏洩を抑制する。ディファレンシャルモードインダクタ１９は信号線３７を伝送される高周波信号が電源ライン３３に流れ込むのを抑制する。これにより、信号線３７を伝送される高周波信号の信号波形の乱れを抑制することができる。コンデンサ３４は、ＩＣ３１を電源ライン３３から直流的に切り離す。
【００４２】
ノイズフィルタ１０として、第１実施例によるノイズフィルタ１０（図１Ａ、図１Ｂ、図１Ｃ）を用いているため、コモンモードチョークコイル１８とディファレンシャルモードインダクタ１９との間の磁気結合を低減させ、両者を有効に機能させることができる。
【００４３】
［第３実施例］
次に、図７を参照して第３実施例によるノイズフィルタ１０について説明する。以下、第１実施例によるノイズフィルタ１０（図１Ａ、図１Ｂ、図１Ｃ）と共通の構成については説明を省略する
【００４４】
図７は、第３実施例によるノイズフィルタ１０の正面図である。第１実施例では、２本の第１巻線１６（図１Ａ）が第１コア２１のみに巻きつけられている。これに対し、第３実施例では、２本の第１巻線１６の各々の一部分が第１コア２１に巻き付けられており、残りの部分が第２コア２５に巻き付けられている。第１巻線１６に電流を流したとき、第１コア２１に巻き付けられた部分と、第２コア２５に巻き付けられた部分とが、閉磁路に同一方向の磁束を発生させるように、巻き方向が設定されている。２本の第２巻線１７は、第１実施例と同様に第１コア２１と第２コア２５とに跨って、巻き方向が相互に逆になるように巻き付けられている。
【００４５】
次に、第３実施例の優れた効果について説明する。
第３実施例においても、２本の第１巻線１６を流れる電流によって発生する磁束５１のほとんどの成分は、第２巻線１７と鎖交しない。このため、第１実施例と同様に、第１巻線１６を流れる電流による第２巻線１７への影響が軽減される。
【００４６】
２本の第２巻線１７に流れる電流により発生する磁束５２は、第１巻線１６のうち第１コア２１に巻き付けられた部分と鎖交するとともに、第２コア２５に巻き付けられた部分とも鎖交する。第１巻線１６から見ると、第１コア２１に巻き付けられた部分と鎖交する磁束５２と、第２コア２５に巻き付けられた部分と鎖交する磁束５２とは、相互に打ち消し合う関係にある。このため、第２巻線１７を流れる電流によって発生する磁束５２のうち第１巻線１６と鎖交する成分は、第１実施例の場合よりも少ない。従って、第２巻線１７を流れる電流による第１巻線１６への影響が軽減される。
【００４７】
このように、第３実施例では、第１実施例と比べてコモンモードチョークコイル１８とディファレンシャルモードインダクタ１９（図２、図６）との磁気結合を抑制する効果が大きくなる。その結果、ノイズ抑制に関する特性がさらに改善される。
【００４８】
［第４実施例］
次に、図８を参照して第４実施例によるネットワーク接続装置について説明する。以下、第１実施例から第３実施例までの各実施例によるノイズフィルタ及びネットワーク接続装置と共通の構成については説明を省略する。
【００４９】
図８は、第４実施例によるネットワーク接続装置７０を搭載した車両７５の概略図である。車両７５に搭載されたネットワーク接続装置７０は、第１実施例から第３実施例までのいずれか１つの実施例によるノイズフィルタ１０を実装している。この車両７５には、さらに、直流電源４１及び車載機器７２が搭載されている。
【００５０】
直流電源４１からネットワーク接続装置７０に直流電力が供給される。ネットワーク接続装置７０と車載機器７２とがケーブル４０で接続されている。ケーブル４０を介して、ネットワーク接続装置７０と車載機器７２との間で差動信号が伝送される。さらに、直流電源４１から、ネットワーク接続装置７０及びケーブル４０を介して車載機器７２に直流電力が供給される。
【００５１】
第４実施例によるネットワーク接続装置７０には、第１実施例から第３実施例までのいずれか１つの実施例によるノイズフィルタ１０が搭載されているため、ノイズの抑制、装置の小型化、部品点数の削減等を図ることができる。
【００５２】
上述の各実施例は例示であり、異なる実施例で示した構成の部分的な置換または組み合わせが可能であることは言うまでもない。複数の実施例の同様の構成による同様の作用効果については実施例ごとには逐次言及しない。さらに、本発明は上述の実施例に制限されるものではない。例えば、種々の変更、改良、組み合わせ等が可能なことは当業者に自明であろう。
【符号の説明】
【００５３】
１０  ノイズフィルタ
１１  第１電極対
１２  第２電極対
１３  第３電極対
１６  第１巻線
１７  第２巻線
１８  コモンモードチョークコイル
１９  ディファレンシャルモードインダクタ
２０  支持体
２１  コア
２２  第１端部磁性部材
２３  第２端部磁性部材
２３Ａ  端板
２３Ｂ  側板
２５  第２コア
３０  基板
３１  集積回路素子（ＩＣ）
３２  コネクタ
３３  電源ライン
３４、３５  コンデンサ
３７  信号線
３８  グランド導体
３９  電源端子
４０  ケーブル
４１  直流電源
５１  第１巻線により発生する磁束
５２  第２巻線により発生する磁束
６０  ネットワークアナライザ
７０  ネットワーク接続装置
７２  車載機器
７５  車両
【図１】
2020116055.tif 000003
【図２】
2020116055.tif 000004
【図３】
2020116055.tif 000005
【図４】
2020116055.tif 000006
【図５】
2020116055.tif 000007
【図６】
2020116055.tif 000008
【図７】
2020116055.tif 000009
【図８】
2020116055.tif 000010
【国際調査報告】
2020116055.tif 000011
2020116055.tif 000012
2020116055.tif 000013